(57)【要約】      （修正有）【課題】以下の工程を含むバッグの製造方法が提供【解決手段】互いの表面が重ねられた２以上の熱可塑性高分子のフィルムを、円またはヘリカルの溝が彫られたインターメッシングローラーを通して、延伸および積層を行うこと、シーケンシャルにフィルムを横方向に延伸し、フィルムの互いに接触する表面層の間に中断された結合またはブロッキングを有するラミネートを形成すること、ここで中断された結合またはブロッキングは、ローラーのクレスト上を通過した領域に局在化される、ついで、フィルムの互いに接触する表面層の間の中断された結合またはブロッキングを保持しつつ、ラミネートをバッグにすること。【選択図】図２
2018008517.tif 000002
【特許請求の範囲】
【請求項１】
以下の工程を含むバッグの製造方法：
互いの表面が重ねられた２以上の熱可塑性高分子のフィルムを、円またはヘリカルの溝が彫られたインターメッシングローラーを通して、延伸および積層を行うこと、
シーケンシャルにフィルムを横方向に延伸し、フィルムの互いに接触する表面層の間に中断された結合またはブロッキングを有するラミネートを形成すること、
ここで中断された結合またはブロッキングは、ローラーのクレスト上を通過した領域に局在化される、
ついで、フィルムの互いに接触する表面層の間の中断された結合またはブロッキングを保持しつつ、ラミネートをバッグにすること。
【請求項２】
フィルムの接触面の少なくとも１つが共押出層を含み、該層はフィルム間の結合を容易にするよう選択される、請求項１記載の方法。
【請求項３】
溝が彫られたローラーは、平坦または鋭い端を有するクレストを備える、請求項１記載の方法。
【請求項４】
中断された結合またはブロッキングは、鋭い端を有するクレスト上を通過した領域に局在化される、請求項３記載の方法。
【請求項５】
溝が彫られたインターメッシングローラーの１つまたは両方のクレスト周縁が波打ち形状を有し、それぞれ横方向の幅の異なる延伸ゾーンを与え、異なる結合強度の中断された結合またはブロッキングの領域を与える、請求項１記載の方法。
【請求項６】
波打ち形状が、繰り返しの領域中に延伸されない領域をもたらす、請求項５記載の方法。
【請求項７】
ローラーの軸に対して８５度以下の角度で、フィルムが溝が彫られたインターメッシングローラーを通る、請求項１記載の方法。
【請求項８】
バッグがゴミ袋である、請求項１記載の方法。
【請求項９】
積層が直交積層である、請求項１記載の方法。
【発明の詳細な説明】
【技術分野】
【０００１】
本発明の目的は発明の名称の通りである。織物の特性により、柔軟で暖かい感触が主として意味される。特には本発明は非常に軽量のフィルム材料に関し、本発明の実施態様は貫通穴の多孔質でありおよび／または、たとえば引裂伝播抵抗、引張強さおよび穴あけ強度について高い強度を有するフィルム材料に関する。
【０００２】
４０−５０年の間に、織物特性を示す熱可塑性の高分子材料から作られたフィルム材料の製造のための多くの提案および少数の工業プロセスがあった。しかし製造工程の複雑さおよび／または比較的高い機械コストのため、これらの技術は一般にスパンフィラメントに基づいた不織布技術とは競争にならなかった。特には面積当たりで小さい重量を備えた材料の開発が困難だった。本発明の目的はさらに、比較的小さい機械コストおよびプロセスを実施する上での簡単さを目的とする。
【０００３】
両方とも発明者の実験室で開発された発明に関する、ＷＯ０６／０７２６０４およびＷＯ０６／１２０２３８は、当初の配向とは直角な方向における一軸延伸を、クレスト（ｃｒｅｓｔ）が一般に平坦であり、鋭い端部を有する、互いに噛み合う溝が彫られたローラー（インターメッシンググルーブドローラー：intermeshing grooved roller）間を通すことにより行うことを開示する。細かいパターンのより厚い直線状の「ボス」および介在する薄い「ウエブ」がこれによって形成される。また、溝が彫られたローラーのクレストの鋭い端部により、パターン中の２つの領域間に明瞭な分離があった。
【０００４】
両方の発明では、この延伸は直交積層物の製造の１工程である。最初の特許では、生成されたパターンの厚さの相違が直交積層物中の内部のミクロ−チャンネルシステムを形成する役目をする。２つのフィルム中の互いに置き換えられた貫通穴と関連するチャンネルは、有利なタイプの貫通穴の多孔質を形成する。
【０００５】
第２の発明での、二軸延伸された「ウエブ」への細かいパターンの導入の目的は、引裂伝播抵抗を改良することである。
【０００６】
前述の両方の国際公開特許から理解されるように、鋭い端部を有するクレストを備えたインターメッシンググルーブドローラー間での延伸は、当初の延伸の方向が溝と平行か、または実際上平行である方法で実行される。しかしながら、本発明に先行する試みでは、発明者は上述の２つの発明のために設計された溝が彫られたローラーを異なる方法で使用した。すなわち、２０ミクロンの厚さの共押出された一軸に溶融延伸されたＨＤＰＥフィルムを、溶融延伸方向とほぼ４５度の角度で、および以前に試みられたものより深い溝が彫られたローラーのクレスト間で噛み合わせて延伸する。これは、ユニークな構造、すなわち図１の顕微鏡写真に示される構造のフィルムを生産した。この構造はフィルムに驚くべき柔軟で暖かい感触を与えた。そのようなフィルムはそれ自体、またはいくつかのフィルムのアセンブリーの形式で、いくつかの織物の用途に非常に適していることが明らかになった。以下の記載から明らかになるように、このフィルム構造およびそのようなフィルムのアセンブリーは複雑でないプロセスにより製造でき、比較的安く、安全に働く機械類を使用してできる。鍵となる機械は鋭い端部のクレストを備えた溝が彫られたローラー、およびフィルムウエブの連続的な方向に対して正確な角度で一軸延伸されるように設計された工業的に確立された複雑ではない機械である。
【０００７】
本発明の生成物はフィルムまたはフィルムのアセンブリーである。そのフィルムまたはそれぞれのフィルムは、熱可塑性高分子材料から作られ、平行な帯状に形成された、直線的に伸びる領域（Ａ）と、それから区別され以下に特定される直線的に伸び、該領域（Ａ）と一体化されるウエブ（Ｂ）の配列（ａｒｒａｙ）を含み、それぞれのウエブ（Ｂ）はその直線的に伸びた位置において隣接した部分（Ａ）よりも薄く、フィルムまたはアセンブリーにおいて、（Ａ）と（Ｂ）の両者は各位置で配向の主方向を有して配向される。前記のフィルムまたはアセンブリーの各フィルムにおいて、領域（Ａ）の主配向の方向が（Ａ）が伸びる方向と０よりも大きく８０度以下の角度（ｖ）を形成し、前記のウエブ（Ｂ）は、ネッキング−ダウンゾーン（ｎｅｃｋｉｎｇ−ｄｏｗｎ  ｚｏｎｅ）またはスプリットである一連の直線状の畝溝（ｆｕｒｒｏｗ）（Ｃ）を含み、該畝溝は（Ａ）が伸びる方向と（ｖ）より大きい角度（ｕ）を形成する点に本発明の生成物は特徴を有する。
【０００８】
本発明の方法は延伸によってこの生成物を生産する方法で、フィルムまたは配向の主方向を有する各々フィルムのアセンブリーから作られる。延伸は第一の１ペアの互いに噛み合う溝が彫られたローラーによって実行され、前記の単一のフィルムまたはアセンブリーの各フィルムの主配向方向と異なる方角に、ただし最大８０度の角度で延伸が行われる。本発明の方法は、１ペアの溝が彫られたローラーの少なくとも１つは、以下に特定される明瞭な部分を形成するに十分に鋭い端を備えたクレストを有しており、平行な直線状に伸びるフィルム材料のウエブ（Ｂ）の間に明瞭な部分を形成し、該フィルム材料は２つの第一の溝が彫られたローラーのクレストの間で冷延伸されており、直線状に伸びる帯状の領域（Ａ）が存在し、該領域は鋭い端部のクレストの上に配置され、該溝を掘られたローラーの間で延伸されないか、または少なく延伸される。
【０００９】
本明細書において使用される単語「冷延伸」は、フィルムの融点よりも著しく低い温度で行なわれた全ての延伸を含むことを意味する。しかし、好ましくは、約６０℃以下の温度が選ばれる。
【００１０】
領域（Ａ）の幅の１５％よりも広くないゾーン内で５０％よりも大きな厚さの変化が生じた場合、１つまたは複数のペアの領域（Ａ）とウエブ（Ｂ）の間の分離が明瞭であると考えられる。しかしながら、好ましくはそれはこの幅の１０％よりも広くなく、より好ましくは５％よりも広くない。顕微鏡によりこれを検査できる。
【００１１】
厚さの変化は、領域（Ａ）のより大きな値から領域（Ｂ）のより小さい値への必ずしも一様の減少ではない。鋭い端に接している材料に力が集中するので、厚さのこの変化は一様な減少とそれに引き続く一様な増加であることがある。
【００１２】
用語「ネッキング−ダウン」は、本質的にそれらの溶融温度範囲以下の温度でのポリマーフィルムの延伸に関して通常使用される。それは、延伸プロセスが不意に起こることを示し、フィルムの部分が肩の上の首のように見える。本発明では、「ネッキング−ダウン」ゾーン内の最小肉厚は、好ましくは周囲のウエブ（Ｂ）材料の厚さの高々５０％であるべきである。
【００１３】
フィルム生成物としてはユニークである、生成物に強度特性と織物の感触との組み合わせを与えるのは、３つの構造要素、すなわち記載された帯状の領域（Ａ）、横方向の畝溝（Ｃ）、および残りの相互に連結するウエブ（Ｂ）である。畝溝（Ｃ）は、極めて薄い領域または規則的なスプリットであり、柔軟性のために特別な重要性を有している。
【００１４】
本発明に非常にふさわしい原料は、少なくとも５０％がＨＤＰＥまたはアイソタクチックもしくはシンジオタクチックＰＰから成るフィルムであり、好ましくはHMWHDPEであるが、さらに、他の熱可塑性高分子材料も使用可能であり、生分解性高分子も使用可能である。
【００１５】
個々の第一の溝が彫られたローラー上の溝は円形であることができ、またはローラー軸に対して８５度よりも小さくない角度のヘリカルであることができ、領域（Ａ）およびウエブ（Ｂ）が機械方向と平行またはそれと小さな角度で伸びるようにする。円形の形の変化は、以下に記載される波打った表面である。
【００１６】
各ウエブ（Ｂ）の平均ゲージは、好ましくは２つの隣接領域（Ａ）の平均ゲージの最大７０％である。これも顕微鏡で検査できる。これに関連して、領域（Ａ）と隣接したウエブ（Ｂ）の間の境界は、厚さが前記の領域（Ａ）の最も厚い部分と前記のウエブ（Ｂ）の最も薄い部分の間の平均値である位置であると考えられる。
【００１７】
請求項１に記載されるように、領域（Ａ）の中の配向の主方向が、（Ａ）が伸びる方向と８０度を超えない角度を形成することは必須条件である。高分子材料、出発物質中の配向、フィルムの厚さおよび他のパラメータに依存するので、この角度の一般的な量的最低限界を示すことは可能ではない。通常は、この角度は１０度よりも小さくなるべきではなく、通常は２０度よりも小さい角度が好ましい。しかしある場合には、好結果が約５度の角度で達成された。しかしながら、その選択は単純な実験作業の後に当業者にとって簡単に決定できる。
【００１８】
第一の溝が彫られたローラー上のクレストが一般に水平であるという記載は、先に特定されたような明瞭な分離を生産することができる限り、溝（つまり、凸面である）に垂直な部分中でそれらがわずかに曲げられることがあることを示唆する。あるいは、それらはわずかに突き出す端部分を有していることがある、すなわちＷＯ  ０６／０７２６０４の図６、およびＷＯ  ０６／１２０２３８の図８で示されるようにわずかに凹面であることができる。そのような突出は、（Ａ）と（Ｂ）の間の分離を特に明瞭に作る役目をすることができる。
【００１９】
領域（Ａ）およびウエブ（Ｂ）は機械方向と平行かまたは実際上平行となるようにつくられるとは、インターメッシンググルーブドローラー間で冷延伸される１つまたは複数のオリジナルのフィルムは、配向の主方向が機械方向と角度を為していなければならないことを意味する。これは、本発明の方法で使用される初期フィルムを、主としてその長さ方向に延伸されたチューブラーフィルムのヘリカル切断によって達成できる。それは、溶融または半溶融状態での配向のみによることができ、または初期フィルムはさらに冷延伸によって機械方向に配向されることができる。
【００２０】
ヘリカル切断は、例えば米国特許５，２４８，３６６に示されるように実行されることができる。この確立された方法は単純で安全で、実際的である。しかしながら、もし初期フィルムにおいて溶融配向のみが望まれるならば、押出型からの取り出しに際し、チューブラーフィルムの取り出し手段に対して押出型を回転させることにより、らせん形の溶融配向が行える。そのようなバイアス配向方法も公知である。
【００２１】
導入部で言及されたように、本発明の主な目的は織物のように柔軟で感触の暖かいフィルムを提供することである。この目的のために、フィルムの、またはアセンブリー中の各フィルムの平均ゲージは、好ましくは高々２０ｇｍ−２であり、そして好ましくは高々１５ｇｍ−２、さらには高々１０ｇｍ−２である。これに関連して、実際上、アセンブリー中のフィルムを分離し、それらを個々に量るのは通常難しくないことが述べられるべきである。これはさらに以下に説明される。
【００２２】
本発明の上記の言及された主目的、すなわち柔軟で暖かい感触を達成するためには、各領域（Ａ）の幅は高々２ｍｍ、好ましくは高々１ｍｍ、およびさらにより好ましくは高々０．５ｍｍであり、好適には領域（Ａ）の配列の区分は高々４ｍｍ、好ましくは高々２ｍｍ、およびさらにより好ましくは高々１ｍｍである。
【００２３】
よいオーダーのために、英国特許１，５２６，７２２および米国特許５，０２８，２８９が直交積層物の製造方法を開示し、そこでは主として長さ方向の溶融配向された熱可塑性の高分子材料のチューブラーフィルムが、螺旋形に切られ、斜めに伸びる溶融配向を形成し、ついで互いに溶融配向が直交するように配置して、溝が彫られたローラー間で一緒に横方向に延伸される。しかしながら、溝が彫られたローラーは、異なる程度または配向方向を示すゾーン間の明瞭な分離を生産するためには適応されない。これに反して、比較的滑らかな直交積層物の製造が目的とされ、好ましくは、溝が彫られたローラー間での横方向の延伸が数工程で行われる。
【００２４】
本発明の非常に重要な実施態様は、領域（Ａ）が波打ち、それぞれの波打ちがそのような領域の幅方向に渡って伸び、領域に沿った各部分（Ａ）は一般にサイン波状に伸び、またウエブは領域（Ａ）の隣接した部分より短く、波打ちを安定化させる。図７は、波打ちの望ましい最小の高さ（ｈ）を示す。波打ちは、一種の毛羽立ち（ｎａｐ）の役割をし、日に当たった熱により暖かい感触を提供する。さらに、それは材料に審美的な織物の外観を与える。例えば鉱物黒鉛または雲母に基づいて作られたミクロフレーク形のピグメントが高分子材料中に分散された場合、材料はダイヤモンドのような光沢を得る。生成物表面の、例えばアルミニウムでの真空蒸着は同様の結果を達成できる。
【００２５】
フィルムまたはフィルムのアセンブリーが一般に水平なクレストを有するインターメッシンググルーブドローラーを通過すると、この波打ちが自然に生じる。ウエブの延伸が機械方向に成分を有している張力を導き、張力が解放されたときにウエブは機械方向に沿っても収縮するためである。熱可塑性プラスチックフィルムのどんな一軸延伸も、延伸の方向に垂直な方向での収縮の傾向を導くことが留意される。本発明でのような、予め存在する配向の角度がそのような収縮を向上することが知られた。領域（Ａ）は、実際には延伸力にさらされない。なぜなら、そのような力は鋭い端によって加えられ、したがって、溝が彫られたローラープロセスの後に実際に収縮する傾向を有せず、ウエブが収縮する場合にはプリーツを形成するからである。
【００２６】
そのような「毛羽立ち」効果が望ましくないいくつかの用途では、波打ちは、高い温度で機械方向に延伸することにより排除できる。
【００２７】
しかしながら、「毛羽立ち」効果は向上させることもできる。この目的のために、互いに噛み合う第一の溝が彫られたローラー間の記載された冷延伸の程度を、ペアの溝が彫られたローラー中の少なくとも１つのローラーのクレストに波形の表面を与えることによりシーケンシャルに変えることができる。これは、図において一層詳細に説明される。
【００２８】
「シーケンシャルな配向」または「シーケンシャルな延伸」は、配向度または延伸の程度が繰り返して変わることを示す、公知の用語である。これは、配向または延伸の繰り返しがゼロである可能性を含む。
【００２９】
１または両者のインターメッシンググルーブドローラーの表面で比較的深い波打ちを使用することにより、特に顕著にこの「毛羽立ち」効果が作られる場合、波形の溝が彫られたローラーのクレストに接するフィルム材料は、実際には未延伸の領域（Ａ）とより強く延伸され、任意にフィブリル化された領域（Ｂ）との横方向で局所的にその個別の分離を失うことがある。したがって、単一のフィルムまたはアセンブリーの形をしている本発明による有利な生成物は、直線状に伸びる領域（Ａ）が中断された線状に伸び、（Ａ）よりも薄いウエブで形成された中断領域（Ｄ）は一般にウエブ（Ｂ）に類似し、また２つの前記のウエブ領域間の明瞭な境界はなく、それによってより薄い中断（Ｄ）を含む中断されたリニア領域（Ａ）は波打ちし、このウエブ（Ｄ）がこの波打ちの波頭を形成する点に特徴を有する。
【００３０】
既に言及されたように、初期フィルムの配向の主方向の確立は、機械方向で行われるかまたはらせんでの溶融または半溶融状態で行われるように限定され、または機械方向での冷延伸プロセスを含むことができる。ヘリカルな切断に先行し、溝が彫られたローラーでの延伸に先行するそのような冷延伸は、好ましくは軸と平行に伸びる歯を有する第二の溝が彫られたローラー間のシーケンシャルな長さ方向の延伸でありえる。好ましくは、各領域（Ａ）の内の厚さおよび配向度はシーケンスに変化し、１０ｍｍより短く、好ましくは５ｍｍ以下である。
【００３１】
そのようなタイプの溝が彫られたローラー間のシーケンシャルなｍ．ｄ．延伸を実行することは公知である。歯がフィルムの表面へフィルムに対する圧力を垂直に働かせるので、通常最も高度な配向を受けるのは１または両方のローラーの歯と接触するフィルム部分になる。
【００３２】
そのようなシーケンシャルな延伸を使用するいくつかの理由がある。１つの理由は、生成物の引き裂き伝搬強度および穴開け強度に関係する。配向度が小さい場合、これらの特性は通常最良である。しかし他方では、ヘリカル切断の前のある冷延伸は十分に平方メートル当たりの重量を下げるために必要なことがある。約１．５−２．０の範囲の冷延伸比率は多くの場合望ましい。しかしながら、そのような小さい比率で、連続的な方法で冷延伸を実行するどんな試みも、通常非常に不規則な結果を与え、より延伸された領域、あまり延伸されていない領域、および全く延伸されていない領域が互いにランダムで発生した。一方上記比率でのシーケンシャルな延伸は変化に秩序をもたらした。フィルムの違ったように延伸された部分はそのために横方向のバンド、帯を形成する。
【００３３】
さらに、シーケンシャルな延伸を使用することにより、驚くべき結果が得られる。すなわち領域（Ａ）の中での波の生成に対する重要な影響が起こる。シーケンシャルに延伸されたチューブラーフィルムがシーケンシャルな延伸の後に解放された時、最も延伸されたバンドは幾分横方向の収縮を行なう。これはより延伸されていなかったバンドに緩みを形成させる。それは、鋭い端部のクレストを有する溝の間で冷延伸する工程の間に領域（Ａ）での波の形成を向上する。更に、領域（Ａ）の波打ちは、フィルムの残りの部分より厚い場所で特に安定となる。
【００３４】
エンボス加工によるフィルム中での突き出しボスを作ることは公知である。しかしながら、公知のエンボス加工では、これらのボスは一般に周囲の材料より細くなり、したがって、穏やかな圧力の下で突き出した形状を容易に失う。請求項３の生成物、および特には請求項４、５、２０および／または２８の生成物はこの点において優れている。なぜなら突き出した「ボス」はフィルム材料のより厚い部分を形成し、「ボス」を囲むほとんどの材料がより薄く、生成物に所望のたわみ性を提供するからである。
【００３５】
鋭い刃のクレストを有する溝が彫られたローラーを出てきたフィルムまたはフィルムアセンブリーは、領域（Ａ）およびウエブ（Ｂ）と平行に深くひだがつけられ、これらのプリーツを取り除くために通常横に伸ばされなければならない。これは、バナナローラーまたは同様の簡単な手段によって行うことができる。材料はこの延ばした状態で熱安定化されることができる。また若干のテンタリング（ｔｅｎｔｅｒｉｎｇ）が行われることができる。好ましくは領域（Ａ）およびウエブ（Ｂ）の連続する方向である程度の収縮が許容される。通常関連する力が小さいので、テンタリング装置は非常は単純なペアのベルトであることができる。上記の収縮は、例えばテンタリング装置に供給される前に、領域（Ａ）およびウエブ（Ｂ）に垂直に伸びるプリーツをフィルムまたはフィルムアセンブリーに与えることにより得られる。
【００３６】
本発明の第二の重要な実施態様では、請求項６により正確に述べられるように、生成物は直交積層物である。そのような生成物は、織物の触感に加えて、特に良好な引張特性、引裂伝播抵抗および穴あけ強度を示す。領域（Ａ）の波打ち形状の上記の利点は、通常本発明のこの実施態様に当てはまる。個別のフィルムは、鋭い刃のクレストを有する溝が彫られたローラー間での各フィルムの冷延伸の後に、別のプロセスで一緒にされることができる。好ましくは、積層ローラーの間の小さな距離を維持しつつ、バインダーとして溶融フィラメントを使用した押し出しラミネーション法で一緒にすることにより、それぞれのフィルムのかさは保持される。
【００３７】
より大きな引張強さだがより少ないかさを一般に提供するより単純な方法は、鋭い刃のクレスト間の冷延伸で積層を一体化し、フィルムのアセンブリーを延伸ニップ（ｓｔｒｅｔｃｈｉｎｇ  ｎｉｐ）内に、それらの主配向方が十字交差するような方向で供給することである。このニップをフィルムが通過した後、異なる直交積層フィルム中の領域（Ａ）はその全長にわたり正確に互いにカバーし合い、またウエブ（Ｂ）も同様に互いにカバーする。これらの工程を通じて製造された直交積層物では、２．５ｃｍ幅のサンプルを毎分長さの５００％に対応する速度で引っ張った時の、破断時の伸びは好ましくは１００％以上であり、極限引張強さは１０ＭＰａ以上であり、好ましくは１５ＭＰａ以上である。
【００３８】
共押出によって好適な積層が提供されたフィルムの使用下では、通常、この冷延伸中にフィルム間の結合またはブロッキングが確立され、領域（Ａ）および（Ｄ）にまたはウエブ（Ｂ）と領域（Ａ）または（Ｄ）の間の境界に提供される。フィルムをともに結合するかブロッキングする全てのプロセスは好ましくは、各ウエブ（Ｂ）の殆どが結合されておらず、ブロッキングされていないものに限定される。（用語「ブロッキング」は、通常非常に弱く、フィルムをゆがませずに剥がすことによりそれを取り除くことができる結合をいう）。
【００３９】
領域（Ａ）とウエブ（Ｂ）の間の境界、すなわち鋭い端に対して延伸されたフィルム部分においてブロッキングへの傾向が非常に発現されることは注目される。また、約６０℃でわずかに粘着性を示す積層物を使用する場合、鋭い刃のクレスト間の室温での冷延伸は、多くの場合にラミネートの実用的な用途において十分なブロッキングを提供できる。しかしながら、いくつかの用途については、より強い結合の必要がある。しかしウエブ（Ｂ）は非結合であり、領域（Ａ）および（Ｄ）の波打ちを維持する。これは鋭い刃のクレストを備えた溝が彫られたローラー間の延伸の前に、またはその延伸の後に実行される、領域（Ａ）および（Ｄ）内の局所的なゾーンでの加熱により確立される。そのような加熱は溝が彫られたローラーの別の一組で実行されることができる。これは図５においてさらに説明されるように、それは鋭い刃のクレストと位置あわせして調節される。
【００４０】
請求項１０に述べられるように、特に良好な穴あけ特性を目指す特別な直交積層物が構成される。このアレンジメントは、図８においてさらに記載される。
【００４１】
本発明の第３の特に重要な態様では、ウエブ（Ｂ）はフィブリル化されるか、または貫通したミクロボイドを有する状態である。このフィブリル化は実質的に局所的な配向の主方向に沿い、領域（Ａ）はより少なくフィブリル化され、好ましくは本質的にフィブリル化されず、そして好ましくはあまり貫通したミクロボイドを有さず、好ましくは殆ど有しない。この構造を達成するためには、最初のフィルム材料の選択、および鋭い刃のクレスト間の冷延伸のパラメータの選択が、ウエブのフィブリル化させるかまたは貫通したミクロボイドを生成し、それらのコヒーレンスおよび（Ａ）とのそれらの一体的な接続を維持し、フィブリル化が局所的な配向の主方向に実質的に平行に起こるように適合される。したがって、出発物質はそのようなフィブリル化または貫通したミクロボイドを生産するのにふさわしい添加剤を含むことができる。
【００４２】
この方法の１つの実施態様は請求項３２に、別の実施態様は請求項３３に述べられる。両方はさらに以下に説明される。しかしながら、本発明の第３の態様の構造は、連続的な構造中にウエブを形成するが、平行な「ネッキング−ダウン」ゾーンの形をしている畝溝（Ｃ）を備えたウエブを形成する条件下で、溝が彫られたローラー間で延伸を行うことにより確立できる（図１およびその記述を参照）。延伸の後に、だが好ましくはこれとインラインで、「ネッキング−ダウン」ゾーンが分裂されて実際にスプリットを形成する。そのような分裂は異なる方法で実行できるが、好ましくは熱風の流れの上でテンターしつつ生成物を通過させ、処理条件（空気温度、空気速度、フィルムの速度）を適応させ、分裂を「ネッキング−ダウン」ゾーンに限定する。このスプリットの形成方法の１つの利点は、加熱によって壊されたポリマー部分が配向を失い、そのためにさらなるスプリットを防止することである。
【００４３】
請求項３２と３３による方法の理解については、英国特許第１４８，３８２（Ｒａｓｍｕｓｓｅｎ）が参照される。この特許は、ポリマーブレンドから作られた配向フィルムのフィブリル化による非常に細かい繊維網目の製造に関する。特許から引用すると、そのような繊維網目は、結晶化可能な高分子量高分子材料Ａと高分子材料Ｂを溶融してコロイド的に混合し、ここで高分子材料ＢはＡとは化学的に異なり、Ａよりも低い融点を有し、Ａよりも大きなメルトインデックスを有している、前記の溶融混合物をシートとして押出し、シートが溶融した状態でシートを押出の方向に強く引張ることによりシートの相を配向させ、延伸されたシートを冷却し、高分子材料Ｂを流動性の状態に保ったまま高分子材料Ａを結晶化し、凝集させ、高分子材料Ｂを湿潤し、または部分的に浸出させてシート材料を分裂させ、配向の方向の横方向にそれを延伸することにより形成される。
（シンボルＡおよびＢの使用は、本発明の請求項での同じシンボルの使用とはもちろん異なる。）
【００４４】
前記の特許は、そのような条件下でＢと呼ばれるポリマーが、Ａと呼ばれるポリマーの「針状結晶」のまわりに、隣接した形成された結晶の間に直接の接続が依然としてあるが、薄い膜を形成する傾向があると説明する。特許は、さらに好適な「Ｂ」ポリマーとしてポリオキシエチレンに言及する。
【００４５】
本発明に関連して、成分を外に浸出させるか、湿潤することは経済的に実現可能ではない。しかし古い特許に記載された構造、すなわち針状に形成された結晶が部分的に薄い膜によって分離される構造は、フィブリル化に非常にふさわしい。これが請求項３２と３３の背景である。
【００４６】
請求項３２については、２つの言及されたポリエチレンは化学的にみてほとんど同一であるが、それらの分子量の大きな差によりＨＭＷＨＤＰＥが「針状結晶」を形成し、他のＨＤＰＥがそれらの針の間により脆弱な膜を形成することは注目される。これは、生成物中の適切に高い強さを維持しつつ、スプリット生成の可能性を維持する。
【００４７】
請求項３３の方法は、特にはおむつ、すなわち皮膚と直接接触するウエブの製造方法に関する。尿は部分的に水溶性のポリマーを溶かす。それによりスプリットが表面に暴露されるようになる。そのために、それは皮膚上を円滑に動く。この水溶性のポリマーへ殺菌剤を加えることができる。
【００４８】
すべての用途ではないが大部分の用途では、本発明の第３の実施態様、すなわちフィブリル化または貫通穴の形成は、第一の実施態様、すなわち領域（Ａ）（および存在する場合には（Ｃ））の波打ち、および／または第２の実施態様、すなわち直交積層と共に好ましくは実行される。
【００４９】
本発明によって作られたフィルムまたはフィルムアセンブリーは、特別な特性を備えたバッグ、およびいくつかのタイプの衛生用品の製造に非常にふさわしくなりえる。例として、本質的にフィブリル化されていない形式の、および貫通穴のないフィルムまたはフィルムアセンブリーは、ごみ袋に非常にふさわしい。
【００５０】
上に記載されるように、１または両方のインターメッシンググルーブドローラーの上の比較的深い波打ちを使用した冷延伸は、連続的なラインの代わりに中断されたラインを有する領域（Ａ）作ることができる。特に大きなかさおよび／またはフィブリル化もしくは貫通穴の多孔性の程度を達成するために、ある程度強さ特性が犠牲にされるが、この効果は領域（Ａ）が直線であるという特性を失い、多くの直線配列で配置された「ドット」である限り得られる。
【００５１】
本発明は、さらに記載された本発明の方法の工程を行なうのにふさわしいすべての新しい装置を包含する。本発明は、図に一層詳細に記載されられる。
【図面の簡単な説明】
【００５２】
【図１】図１は本発明にかかる単一のフィルムの顕微鏡写真である。これは実施例１に記載されたように生産されたフィルムである。
【図２】図２ａ、ｂおよびｃは、本発明による直交積層物のスケッチだが畝溝（Ｃ）を無視している。領域（Ａ）のプリーツ加工は延伸されて無くなったと認識される。図２ａは、ラミネートの１プライを示す。２ｂは他のプライを示し、領域（Ａ）の方向およびウエブ（Ｂ）の方向に沿って示されている。図２ａおよびｂの上の線は、全て配向の主方向を示す。図２ｃはラミネートの断面を示す。ウエブ（Ｂ）は延伸され薄く、結合されていない。一方領域（Ａ）は、互いに少なくとも点または線で、または領域（Ａ）と（Ｂ）の境界に沿って結合される。図２ｃでは、領域（Ａ）およびウエブ（Ｂ）の幅の上に、厚さが１０倍の寸法で示されていることに注意されたい。
【図３】図３は、鋭い端を備えた円形のクレストを有する、２つの溝が彫られたローラーの表面の部分の横断面を示す。それは互いに噛み合い、フィルムまたはフィルムアセンブリーを延伸する。
【図４】図４は、本発明によって直交積層物を生産する２つのラインを表わすフローシートである。２つの工程の、「積層と直線状のストリップへの結合」、および「ストリップと位置あわせされた鋭い刃の溝が彫られたローラー間でのＴ．ｄ．方向の延伸」は、図５に示される装置によって実行される。
【図５】図５は、最初に２つ以上のフィルムを一緒にストライプに結合し、次いでアセンブリーの結合されていないストライプを横方向に延伸する、溝が彫られたローラーのスタックの表面の断面図である。すべての溝が彫られたローラーは、それぞれの運転温度において互いに正確に位置あわせされる。
【図６】図６は、すべてインラインでの直交積層物の製造の単純化されたプロセスを示すフローシートである。
【図７】図７は、領域（Ａ）のプリーツ加工の深さに関する記述の根拠として役立つスケッチである。
【図８】図８は、領域（Ａ）の延伸方向（１）と、２つの直交積層フィルムのこれらの領域の配向の主方向（２）および（３）を示すスケッチである。
【図９】図９ａおよび９ｂは、図３に関して記載された、溝が彫られたローラーのクレストの表面の形の変更を表わす断面図である。
【図１０】図１０ａおよび１０ｂは２つの異なるパターンの波打ちを示すスケッチである。それは図９ａおよび９ｂで示されるローラー形状で得ることができる。
【図１１】図１１は特に実際的な組合わせの製造工程のフローシートである。
【図１２】図１２は、図１に類似する顕微鏡写真であり、本発明にかかる単一のフィルムを示す。この場合、図９ａに示されるローラーを使用して、実施例３に記載されるようにして、フィルムは生産された。
【図１３】図１３は「ネッキング−ダウンゾーン」から開いたスプリットになる、畝溝（Ｃ）の展開の過程を例証するスケッチである。スケッチでは機械方向と平行に延伸される。
【図１４】図１４は、本発明のフィルム構造の概要の表現であり、顕微鏡写真の図１の現実的な表現に対応する。
【００５３】
参照の文字（Ａ）、（Ｂ）および（Ｃ）の意味は、図１の記述から理解される。
図２  ａ、ｂおよびｃ、図４および図６は、説明をそれ以上要求しない。図１の顕微鏡写真は実施例１で説明されるように作成された単一のフィルムであり、直線的に伸びる領域（Ａ）を示す。領域（Ａ）は領域の幅全体にわたりそれぞれ波打っている。ウエブ（Ｂ）は図３に示されたインターメッシンググルーブドローラーで鋭い刃のクレスト間で薄く引っ張られている。ウエブ（Ｂ）はきわめて薄い「ネッキング−ダウン」ゾーン（Ｃ）を含む。写真には（Ａ）の（Ｂ）の間に個別の分離帯があることを示す。高分子材料は白く着色され背景は黒い。
【００５４】
波打ちを強調するために、写真では（Ａ）と（Ｂ）が伸びる方向とほとんど平行に試料に光が投射されている。同じフィルム材料からの試料の顕微鏡写真であるが、他の角度での測定によれば、半波長（ｌ）と１つの波の高さ（ｈ）の比率（ｌ／ｈ）は一般に約４：１である。図７のスケッチは半波長（ｌ）および波の高さ（ｈ）の意味の誤解を回避するために描かれた。比較のため、図７の中の比率（ｌ／ｈ）は３：１である。最大で８：１もの高い比率でも、暖かい感触を備えた本発明による薄いフィルムを提供すると考えられる。
【００５５】
一方、領域（Ａ）での主配向方向は、これらの領域の伸びる方向と４５度の角度を為す。これは実施例１に記載された製造方法から理解される。顕微鏡写真内の黒色の斜めの線は、鋭い刃のクレスト間での延伸がウエブ（Ｂ）においてこの角度をどの程度大きくするかを示す。これらの線はスプリットとして存在する。しかし、空気を通す試みは否定的な結果を与え、それらが非常に薄膜部分、言いかえれば「ネッキング−ダウン」ゾーンであることを示した。それらは、特にフィルムの柔軟性に寄与する。また、２つのフィルムが本発明にかかる直交積層物を形成するためにともに延伸された場合にも、それらが生じる。他方では、これらのスプリット様の線は、原料組成物の変更、および／または作業条件のパラメータの変更、および／または引き続く分裂プロセスにより、真のスプリットおよび／または貫通するミクロボイドを形成することは容易であることを示す。これは、例えば実施例１で使用されるＨＭＷＨＤＰＥよりも分裂耐性の低いグレードのポリマー組成物に基づくことにより、および／またはスプリットを誘発する粒子状物質の混合により確立できる。この関連では、延伸の際に貫通するミクロボイドを形成する際には通常使用される量よりも、そのような粒子状物質の濃度は少なくすることができ、また少なくすべきである。
【００５６】
先の一般的な記述では、隣接する領域（Ａ）の平均ゲージに対する割合として表現される、各ウエブ（Ｂ）の平均ゲージのための望ましい範囲が言及された。ウエブ（Ｂ）にスプリットが提供されている場合、分裂したミクロの領域は平均の計算に含まれなければならず、ゲージゼロに寄与する。
【００５７】
上記のように、顕微鏡写真は実施例１に記載されたように作られた単一のフィルムを示す。この実施例は、さらに同じ出発フィルムに基づく２プライの直交積層物を試作する。この直交積層物の顕微鏡写真は図１と同じに見えるが、ウエブ（Ｂ）の写真はスプリットの様に見える十字交差する線を示す。しかし実際には、２つのフィルム中に非常に薄い延伸ラインがある。
【００５８】
図２ａ、ｂおよびｃは、本発明による直交積層物中の２つのフィルムがどのように、互いに完全にカバーする領域（Ａ）と、これも互いに完全にカバーするウエブ（Ｂ）を有しているかを示す。既に言及された畝溝（Ｃ）は、これらの図では省略されている。図２ｃで示されたように、ウエブ（Ｂ）は互いに結合またはブロックされない。一方領域（Ａ）は、少なくとも互いにブロックされる。これは、ラミネート層（スケッチ中には示されない）によって通常確立される。一般的な記述の中で言及されるように、ブロッキングする傾向は（Ａ）と（Ｂ）の間の境界で高い。これは、２つのフィルムが、溝が彫られたローラーのクレストの鋭い端の上で強く引っ張られるからである。しかしながら、好ましくは、領域（Ａ）の主な部分は規則的にともに結合されるべきであり、これは図５に記載される。
【００５９】
図２ａおよび２ｂの線が示すように、配向の方向は全体にわたり十字交差する。これらの領域が伸びる方向（それは、通常機械方向であるが、しかし常にそうではない）と領域（Ａ）内の２つのフィルムの配向方向とが作る角度は、ここでは＋４５度および−４５度であるが、実際には約＋／−５度から＋／−８０度であることができる。
【００６０】
しかしながら、ここに示されたように対称である必要はない。２つのフィルム中の配向は、領域（Ａ）およびウエブ（Ｂ）が伸びる方向に関して見て、１つの側であることさえできる。これは図８に示される。ここで（１）は（Ａ）と（Ｂ）が伸びる方向である。（２）は直交積層物中の１つのフィルムの配向の主方向、および（３）は別のプライの配向の主方向である。両方の場合に、これらの配向は領域（Ａ）を示す。請求項１０において、配向のアレンジメントはより正確に表現される。この非常に非対称のアレンジメントの目的は、直交積層物に特別のよい穴あけ耐性を与えることであるが、他のいくつかの強度特性が犠牲にされる。
【００６１】
図３に関して、ウエブ（Ｂ）の部分的な横方向の延伸を達成するインターメッシンググルーブドローラー（１１２）および（１１３）は、鋭い端（１１５）を備えたそれらの円形の歯の上に水平なクレスト（１１４）を有している。（軸方向では水平であるが、軸に垂直な方向ではそれらは円形である。）。これは、延伸を（１１１）の番号が付けられたウエブ部分に制限する。平面クレスト（１１４）上に置かれたフィルム材料部分は、実際には延伸されていない領域（Ａ）を形成する。完全にこれらの領域の延伸を回避するために、フィルムの残りの部分が暖かい空気、たとえば約４０℃で処理される一方、溝が彫られたローラーは、低温、例えば１５から２０℃で好ましくは維持される。ローラー表面の製造精度の要求は高度である。また、短いセグメントからローラーの外側部分を作ることは高度に望ましい。
【００６２】
一般的な記述の中で言及されるように、ローラー１１２または１１３のうちの１つにおいては、クレストは端を丸くすることができ、また全体を丸くすることができる。その結果、横方向の延伸および薄い「ネッキング−ダウン」ゾーン、または分裂の形成がさらにこれらのクレスト上で起こる。これは、ウエブ（Ｂ）が領域（Ａ）より広くなるということを意味する。ある強度は向上されることがあり、これによって織物の外観が幾分発現しなくなる。
【００６３】
１のローラー（１１２）または（１１３）の上のクレストを丸くした場合、そのローラーは好ましくは加熱されるべきであり、たとえば１５から２０℃にされる。プロセスは、約４０℃の空気温度の環境に好都合におかれる。フィルムは、この環境によって最初にあらかじめ熱せられる。次に、それは比較的冷たいローラーに入り、領域（Ａ）を冷やす。また、最後に、フィルムは、２つのローラー間でニップにより横に延伸される。この延伸は暖かいフィルム部分を含む。
【００６４】
図４に示されるフローシートの一つの工程段階は、「直線状ストライプ中のラミネーションおよび結合」と呼ばれ、「ストライプと位置あわせされた鋭い刃の溝が彫られたローラー間でのＴ．ｄ（横方向）での延伸」が、図５に示される機械で行なわれる。第一の言及された工程は、軸（１１８ａ）および（１１９ａ）を有しているローラー（１１８）および（１１９）で行なわれる。これらのローラーはたとえば約９０℃に加熱されて、フィルム上のラミネート間の結合を確立する。積層される異なる直線状ストライプ中で、均一な温度を達成するために、ローラー（１１８）の上流に第３の溝が彫られた加熱ローラーが存在することができるが、これは図示されない。結合はわずかに噛み合う溝が掘られたローラー（１１８）および（１１９）のニップで確立される。これらのローラー上のクレスト（１２０）は丸くされる。結合を達成するために溝が彫られたローラー間にある程度の噛み合いがなければならない。しかし、好ましくは、互いの噛み合いはこの工程における延伸を最小限にするために最低限にされる。
【００６５】
ウエブ（Ｂ）を生産する延伸は、軸（１１２ａ）および（１１３ａ）を備えたローラー（１１２）および（１１３）の間で起こる。これらのローラーは鋭い端（１１５）を備えたクレストを有し、図３の中の（１１２）および（１１３）のように構築される。それらは、水を循環させることにより室温に好ましくは維持される。
【００６６】
ウエブ（Ｂ）内の２つのフィルム間の結合を回避するために、このスタック中の溝が彫られたローラーはすべて、一点破線（１２１）によって示されるように正確に位置合わせされなければならない。この位置合わせは、ローラーが異なる温度である操作条件に関連する。それらが製造される時、したがって溝のピッチが計算されなければならない。１ｍの長さのスチールローラーは温度の１０℃の増加につれて約０．１１ｍｍ伸びる。
【００６７】
フィルムがローラーのスタックを通るルートを逆にして、鋭い刃のクレスト間での延伸を、熱く丸い溝が彫られたローラー上でのラミネーションの前にすることは可能である。そのようなルートが使用される場合、ローラー（１１８）および（１１９）上の丸いクレスト間の噛み合いは深くなければならない。
【００６８】
更に、ルートを逆にした時には、ローラー（１１８）は軟質ゴムでコーティングされた、ニップローラーによって置き換えられ、好ましくは加熱される。この場合、他のすべての領域（Ａ）は、ニップで結合されるようになる。溝が彫られたローラーのうちの１つが図９ａまたは９ｂに示されるような波形の表面形を有し、調和する溝が彫られたローラーが真円の場合、それはゴムローラーと一緒にニップを形成するものでなければならない。さらにこのニップはニップを通過するＡ−領域に若干のＵ−字形を生産し、１方向の剛さを改良する。
【００６９】
図７は、図１の記述に関連して既に説明された。
図８は、図２ａおよびｂの記述に関連して既に説明された。
【００７０】
図９ａは、実施例３で使用される、鋭い刃の溝が彫られたローラーのうちの１つの表面の波打ちを示す。互いに噛み合う鋭い刃の溝が彫られたローラーは、波打ちのない円形の表面を有している。スケッチに示されたように、波打ちの形は一般にシヌソイドであるが、曲率半径はローラー軸からの距離が最大な場所で最も大きく、この距離が最短（０．５ｍｍ）のところで、最も小さい。実際、実施例３で使用される曲率半径は６８ｍｍで、ローラー半径と等しい。さらに、所望のフィルム構造によって、それは別の方法でありえる。あるいは、２つの言及された半径は等しいことがある。このシステムでは、溝が彫られたローラー間の延伸／エンボシングは、フィルムまたはフィルムアセンブリーの１つの表面から主として突き出る、細長い「ポケット」を形成する。
【００７１】
あるいは、両方の溝が彫られたローラーに、シヌソイド表面形状が提供されることができ、１つのローラー上の最も大きな直径の領域（２００）が、別のローラーの最も大きな直径の領域とマッチするようにされる。この場合、１つの表面から出る「ポケット」はそれぞれ、反対の表面から出る２人の隣り合った突き出しを有している。フィルムの伸ばし過ぎを防止するために、このシステムでは波打ちローラー表面は、上に記載されたシステムにおいて望ましい波打ちより一般に浅くあるべきである。
【００７２】
両方の表面上の「ポケット」の形成も、図９ｂの中で示されるように各々形作られた１ペアのローラーで達成できる。１つのローラーのローラー軸からの最も大きな距離の位置（２００）が、別のローラーの隣接する同様の位置（２００）の間の中央部（２０１）に一致するように、相互に２つのローラーを調節しなければならない。
【００７３】
図９ｂに示されたローラーのタイプは、さらに波打ちのない円形の表面を有するローラーと一緒に働くことができる。このようにフィルム中に比較的短いボスを形成することができる。ローラー上の各波の「先端（ｔｉｐ）」上で、端はフィルムのボスの先端のフィブリル化を促進するために丸くされることがある（以下を参照）。これらの先端はさらに完全に穿孔することができる。
【００７４】
図１０ａおよびｂでは、図９ａでのように、溝が彫られたローラーのうちの１つは波形の表面を有しており、他の１つは円筒状表面を有している。波形の表面によって形成された線状の領域（Ａ）のピークはマークされる（２０２）。図１０ａでは、１つの領域（Ａ）の中のそれぞれのピークは、波形の表面を備えたローラーによって形成された２つの隣接する領域（Ａ）の各々のピークに直接隣接している。これは、生成物をそれが織ってあるようにみせ、かつ柔軟性を向上する。
【００７５】
図１０ｂでは、それは反対である。１つの領域（Ａ）の中のピークはそれぞれ、波形の表面を備えたローラーによって形成された、２つの隣接する領域（Ａ）の各々で２つの最も接近しているピークの中間にある。これは、構造に幾分の剛さを提供する役目をし、それはある場合、たとえばバックを作る場合には望ましい。
【００７６】
すべての場合に、波形の表面および鋭い端は放電加工によって最も良くつくられるが、ローラー中の溝はターニングによって形成されることもできる。鋭い端を摩耗抵抗性とするために、高炭素含量の鋼が好ましく選ばれる。これは放電加工プロセスによって特に硬くなる。
【００７７】
波形のクレスト上の先端が丸くされることが所望の場合、これは電解研摩とその後の放電加工により行うことができる。
【００７８】
図１１の正確な理解については、米国特許５，２４８，３６６（Ｒａｓｍｕｓｓｅｎ）の図１、２および３、並びに関連する記載が参照される。これらの図は、チューブのヘリカル切断を示す。図のプロセスの前にたたまれたレイ−フラット（ｌａｙ−ｆｌａｔ）の形で、配向の主方向がその長さ方向と平行とされて提供された。米国特許５．２４８，３６６の図１の中で、アンワインディングリール（９）、テイクオフローラー（１１）およびコンベヤーベルト（１７）はフレーム(５)および（６）内に配置され、「タンブリング（ｔｕｍｂｌｉｎｇ）」動作、つまりリール（９）の軸またはローラー（１１）およびコンベヤーベルト（１７）を支持し運転するローラーの軸が、軸（２３）のまわりで回転する。これは前述のローラー軸に垂直で、一般にたたまれたレイ−フラットフィルム（１０）の中間を通り抜ける。後者は、ねじられながら移動して、固定マンドレル（１４）の上をインフレーションし運ばれる。インフレーションは空気により補助される。この空気は送風機（１３）により導入され、マンドレル（１４）を吹く。ねじられながらの移動は、ローラー（１１）の周囲速度および「タンブリング」の回転によってコントロールされる。膨張したフィルム（１０）はマンドレル（１４）の上を通過する。それは気流によって円滑化され、それが固定されたナイフ（１８）によって螺旋形に切断されるまで安定した管状の形で維持され、巻取りシステム（２０）、（２１）および（２２）によって巻き取られる。
【００７９】
本明細書の図１１を参照する。「タンブリング」アレンジメントの新態様では、テイクオフローラー（１１）が、ペアまたは一連の機械方向（ｍ．ｄ．）延伸ローラーで置き換えられるか、またはこれらが追加される。これは単に上に記載されたような１セットのギヤーローラーであることができる。マンドレル上のヘリカル切断の後、斜めに配向されたフィルムは、鋭い刃の溝が彫られたローラー間でのｔ．ｄ．延伸／エンボス加工に直接行くことができる。または同様に同時に作られたバイアス配向されたフィルムと、最初にまたは同時にサンドイッチにされ、２つのフィルムの配向が互いに交差するようにすることができる。
【００８０】
米国特許５，２４８，３６６に戻ると、図２および３は、その明細書の図１の方法および装置の変更を示す。この変更では、アンワインディングリール（９）の軸は、「タンブリング」がその周囲で起こる軸（２３）と一致する。ガイド装置（２８）、（２９）および（３０）（図３を参照）が、ゾーン（３１）にあり、「タンブリング」の軸（２３）に垂直にスタートするフィルム１１の前進が折りたたみにより変えられ、軸（２３）と平行になるように配置される。「タンブリング」アンワインディングを実行するこの方法は、明細書の記載の図１０の中で示される最初の工程として適用できる。
【００８１】
チューブラーフィルムのための「タンブリング」アンワインディング装置内でのｍ．ｄ．延伸ローラーの追加と、引き続いてチューブがねじられながらマンドレルの上を通りつつヘリカル切断されることは、本発明の主目的である織物様のフィルムのためのその使用と無関係に、それ自体本質的に発明と考えられる。この関連では、ｍ．ｄ．−延伸方法はギヤーローラーの使用に制限されていないが、原則としてはローラーによって実行される任意のｍ．ｄ．延伸方法でありえる。更に、たたまれたレイ−フラットからチューブへのフィルム形式の変更は、必ずしも空気（１３）およびコンベヤーベルト（１７）による膨張を要求しない。これらの態様は望ましい。しかし、代替え方法を選ぶことができる。
【００８２】
図１３のスケッチを参照する。熱処理のためにデバイスに入る際に、フィルム（２０３）は図１の顕微鏡写真に示される構造を有していることが理解されるべきである。この顕微鏡写真について言及されたように、直線状の領域（Ａ）と鋭角をなし、ウエブ（Ｂ）を横切る黒色の線はスプリットのように見えるが、真のスプリットではなく、非常に薄い「ネッキング−ダウン」ゾーンである。図１３に示される熱処理の目的は、これらの高度に延伸された、非常に薄い「ライン」を分裂させ、溶融または半溶融によりこれらの「ライン」の少なくとも一部が真のスプリットに変形されるが、ウエブ（Ｂ）をひどく分裂させて直線状の領域（Ａ）間の接続が破壊されるようにはしない。
【００８３】
フィルム（２０３）は紙面と垂直に伸びるスロットの上を引っ張られる。スロットは金属壁（２０４）によって形成され、矢印（２０５）によって示されるように熱いガス、通常は空気がスロットを通して流される。スロットへの入口には、スロットの長さの方向に熱いガスを均等に分配するチャンネル（図示されない）のシステムがある。また、ガス速度およびガス温度の完全な平等化は、セラミック製の小石（２０６）の充填によってさらに達成される。
【００８４】
フィルム（２０３）は、テンターされた状態で、壁（２０４）に接してスロットの上を通る。後者は、チャンネル（２０７）を通って循環する冷却液によって冷却される。絶縁プレート（２０８）は、ガス流れの冷却を防ぐ。
【００８５】
プロセス中に、フィルム（２０３）の速度は一定に保たれ、また、ガスの温度および速度は実験作業によって非常に正確に調節され、不適当なそれ以上の分裂のない「ライン」の所望の分裂を達成する。
【００８６】
発明者の知識によれば、延伸によりフィルム中に薄い小さな領域を作成し、ついでこれらの小さな領域を、接触時間、ガスの速度および温度を互いに調節しつつ、熱ガスを使用して分裂させることにより、配向されたまたは配向されていないフィルム中に小さな穴または小さなスプリットを形成することは新規である。この方法は、請求項１に定義される構造に関連するその使用と無関係に発明と考えられる。
【００８７】
実施例１
平均ゲージ１８．６ミクロン（測定値１７．９ｇ／ｍ２）の、以下の組成を有するチューブラーフィルムが共押出された：
−  中央の層、合計の６５％：
添加剤および白色マスターバッチを除いてはすべてＨＭＷＨＤＰＥ。
−  外側表面層、合計の１５％：
ｍ．ｆ．ｉが１．０のＬＬＤＰＥ７０％と、５０−６０℃の溶融するメタロセンＰＥ  ３０％。
−  内側表面層、１００％のＬＬＤＰＥ。
ブロー比率は２．７：１である。また、円弧ダイスオリフィスのギャップは１．０ｍｍである。これは、約５０の指数までチューブラーフィルムが薄くされ、強い主として長さ方向の溶融配向を得ることを意味する。
【００８８】
このチューブラーフィルムは４５度配向を備えたウエブを形成するために螺旋形に切断される。そのような２つのウエブが、それらの配向方向が互いに交差するように４０℃の暖かいローラー上でアセンブルされる。インラインで、アセンブリーは、図３に示される、溝が彫られたローラー間で横に延伸される。ローラー温度は水を循環させることによって２０℃に維持される。それぞれの水平なクレストの幅は０．４ｍｍである。また、各ローラー上の溝のピッチは１．２ｍｍである。これは互いに噛み合うクレストの各一組間で０．２ｍｍのスペースを残す。互いに噛み合う深さは１．００ｍｍである。それは利用可能な溝が彫られたローラーで得ることができる、最も深いものである。自発的な収縮の後の平均のｔ．ｄ．延伸比率は１．６５：１である。
【００８９】
フィルムは結合について試験される。また、フィルムの横方向に延伸された部分および延伸されていない部分の間の境界で、２つのフィルム間に強いブロッキングがあることがわかった。
【００９０】
螺旋形に切断されたフィルムのうちのいくらかは同様にｔ．ｄ．方向に延伸された単一のフィルムである。これによって得られた構造、および直交積層物中のフィルムの各々に類似する構造は、図１の顕微鏡写真に関連して記載される。  実施例２の後に記載されるように、生成された直交積層物が試験された。
【００９１】
実施例２
同じ押出フィルムを使用し、実施例１のように、４５度の同じヘリカル切断、同じ直交積層、および横方向の延伸／積層プロセスが行われた。しかしヘリカル切断の前に、レイ−フラットチューブラーフィルムは、軸と平行に延びる歯を備えた溝が彫られたローラー間で、ｍ．ｄ．方向にシーケンシャルな方法で延伸された。これらの歯のクレストは、直径１．９ｍｍの半円である。また、各ローラー上の溝のピッチは５．０ｍｍである。フィルムへの入口および出口での張力、およびローラー間の互いの噛み合いにより、平均延伸比率は１．４：１とされた。延伸は、溝が彫られたローラーのうちの１つの丸い歯の上で起こる。一方、別のローラーの歯の上のフィルムは延伸されない。
生成された直交積層物の試験は以下に記録される。
【００９２】
実施例１および実施例２のフィルムの比較試験
２つの直交積層物および押し出されたチューブラーフィルムの引張試験がされた。また半球状の先端を有する直径１０ｍｍの「ホーン」の穴あけに対する穴あけ強度に関してテストされた。
【００９３】
引張試験は、毎分５００％の伸びに対応する速度を利用して、幅２５ｍｍで、４５度、またはｍ．ｄ．またはｔ．ｄ．で切断した試料について行われた。降伏力、極限引張強さおよび破断時の伸びは応力／歪み図から決定された。目標は、すべての方角において高い破断時の伸びとともに、大きな極限引張強さを有するフィルムを生産することだった。
【００９４】
穴あけ耐性検査は、中央に各々３５ｍｍ直径の円形の開口部を有している２つの環の間に、フィルム材料をしっかりと挟むことにより行なわれる。「ホーン」はこの開口部に関して中心に位置され、フィルム破損までフィルム材料へ毎秒５ｍｍの速度で押し込んだ。深い押し込みと破壊時の大きな力が目標とされる。破壊強さは、ホーンの外周（ｍｍ）と厚さ（ｍｍ）を乗じたもので割ることにより、ニュートンからＭＰａに変換される。
相対的な試験の結果が次の表に示される。
【００９５】
ａ）  ホーン穴あけ試験
押出フィルム、さらなる処理はない、ゲージ１７．９ｇ／ｍ２
【００９６】
【表１】
2018008517.tif 000003
実施例１、ゲージ２２ｇ／ｍ２
【００９７】
【表２】
2018008517.tif 000004
実施例２、ゲージ１９ｇ／ｍ２
【００９８】
【表３】
2018008517.tif 000005
引張試験
押出フィルム、さらなる処理はない、ゲージ１７．９ｇ／ｍ２
【００９９】
【表４】
2018008517.tif 000006
実施例１、ゲージ２２ｇ／ｍ２
【０１００】
【表５】
2018008517.tif 000007
実施例２、ゲージ１９ｇ／ｍ２
【０１０１】
【表６】
2018008517.tif 000008
【０１０２】
実施例３
実施例１と同じ押出フィルムが使用され、実施例２と同じくシーケンシャルにｍ．ｄ．方向に延伸された。ヘリカル切断は当初のｍ．ｄ．に対して３０度で行なわれる。３０度配向のフィルムは、鋭い刃の溝が彫られたローラー間で一部分は単一のフィルムで一部分は直交ウエブで、横方向に延伸／エンボス加工された。溝が彫られたローラーおよび溝が彫られたローラープロセスは、以下の点でのみ実施例１に記載されたものと異なる：
【０１０３】
１）  溝は互いにより深く噛み合うことを可能にするために、わずかに深く、１．２ｍｍでセットされる。
２）  図９ａの中で示された通りに、鋭い刃のクレストを備えた２つの溝が彫られたローラーのうちの１つは、波形の表面を有している。１．２ｍｍの噛み合いは、波打ちのトップの部分に関する。
３）  そのプロセスは外界温度２５℃で行なわれる。生成された単一プライはゲージ９．５ｇ／ｍ２を有している。また、生成された直交積層物は１９ｇ／ｍ２である。単一プライフィルムの顕微鏡写真は図１２に示される。２つの生成物の構造は、顕微鏡で観察された時、図１に示される構造とほぼ同じに見えるが、以下の点で相違する：
【０１０４】
１）  「リボン状の領域」（Ａ）の波長は図１では約０．６−１．２ｍｍで不規則であるが、ここでは均一であり図９ａに示されるローラーの波長と一致する。つまり２．５ｍｍである。
２）  薄い「ウエブ」（Ｂ）は図１では（Ａ）より狭いが、ここでは（Ａ）よりわずかに広く、改良されたたわみ性を与える。
３）  波打ちの「振幅」、つまり一方の高い領域と反対側の隣接した高い領域の間の平均の垂直距離は、ここでは約０．５−０．６ｍｍであり、フィルムに特に暖かい感触を与える。溝が彫られた鋭い刃のローラーのうちの１つの波打ちの「振幅」が、高々０．２５ｍｍであるので、この大きな「振幅」は注目すべきである。それは、ギヤーローラー延伸によって生産された各領域（Ａ）内の、可変配向角度の結果である。
【図１】
2018008517.tif 000009
【図２】
2018008517.tif 000010
【図３】
2018008517.tif 000011
【図４】
2018008517.tif 000012
【図５】
2018008517.tif 000013
【図６】
2018008517.tif 000014
【図７】
2018008517.tif 000015
【図８】
2018008517.tif 000016
【図９】
2018008517.tif 000017
【図１０】
2018008517.tif 000018
【図１１】
2018008517.tif 000019
【図１２】
2018008517.tif 000020
【図１３】
2018008517.tif 000021
【図１４】
2018008517.tif 000022